(57)【要約】【課題】  本考案は、鉄道又は道路等の法面において、前後左右に傾斜する斜面での除草機による雑草の除草作業時に直立姿勢を安定的に保持するために使用する斜面用靴補助具を提供することを目的とする。【解決手段】  本考案の斜面用靴補助具は、作業靴の固定用締め付けバンド１備え、作業靴を乗せる靴底形状をした平板状の本体ボディ２と、該本体ボディ２の前後左右側面に下方に延設して一体に形成された先鋭状の爪状フック３と、前記本体ボディ２の中央下面に固定され、ジョイント係合穴を有するジョイント接続部材４と、前記前後左右の爪状フック３間に前記ジョイント係合穴にU字型ジョイント５を介して前後左右可動可能に取り付けられた平板状の斜面押圧板６とからなるものである。【選択図】  図１
0003104133.tif 000002
【実用新案登録請求の範囲】
【請求項１】
作業靴の固定用締め付けバンドを備え、作業靴を乗せる靴底形状をした平板状の本体ボディと、該本体ボディの前後左右側面に下方に延設して一体に形成された先鋭状の爪状フックと、前記本体ボディの中央下面に固定され、ジョイント係合穴を有するジョイント接続部材と、前記前後左右の爪状フック間に前記ジョイント係合穴にU字型ジョイントを介して前後左右可動可能に取り付けられた平板状の斜面押圧板とからなることを特徴とする斜面用靴補助具。
【考案の詳細な説明】
【技術分野】
【０００１】
本考案は、鉄道又は道路等の法面において、除草機による雑草の除草作業時に直立姿勢を安定的に保持するために使用する斜面用靴補助具に関する。
【背景技術】
【０００２】
従来、急斜面の砂地での作業、建物の屋根での作業又は積雪時の急斜面等での歩行を容易にする歩行補助器具は公知となっている。
このような一例として、万能斜面歩行器具がある（特許文献１参照）。
この万能斜面歩行器具は、図７に示すように、前部パイプ後端にU字状に曲げた後部パイプを差し込み構成された本体フレーム（１）と該本体フレーム（１）と靴を取付け固定する金具（３）の間に設けた丸型パイプ（２）を設け、前記本体フレーム（１）中央前後に丸型パイプ（２）を支持する部材（４）を前後に設け、該部材（４）間に丸型パイプ（２）を締め付け、強さを調整し固定する締め付けボルト（５）を設けたものである。
しかし、この万能斜面歩行器具は、右急斜面、左急斜面の横断歩行に対応したものであって、除草機による雑草の除草作業時に前後方向に傾斜する場合の直立姿勢を保持するためには使用することができなかった。
【０００３】
【特許文献１】特開２００１−１３７０１１号公報
【考案の開示】
【考案が解決しようとする課題】
【０００４】
そこで、本考案は、鉄道又は道路等の法面において、前後左右に傾斜する斜面での除草機による雑草の除草作業時に直立姿勢を安定的に保持するために使用する斜面用靴補助具を提供することを目的とする。
【課題を解決するための手段】
【０００５】
そのため、本考案の斜面用靴補助具は、作業靴の固定用締め付けバンドを備え、作業靴を乗せる靴底形状をした平板状の本体ボディと、該本体ボディの前後左右側面に下方に延設して一体に形成された先鋭状の爪状フックと、前記本体ボディの中央下面に固定され、ジョイント係合穴を有するジョイント接続部材と、前記前後左右の爪状フック間に前記ジョイント係合穴にU字型ジョイントを介して前後左右可動可能に取り付けられた平板状の斜面押圧板とからなるものである。
【考案の効果】
【０００６】
本考案は、鉄道又は道路等の法面において、作業者の荷重は、爪状フックと斜面押圧板により支えられ、本体ボディが水平を保ったまま斜面に沿って斜面を歩行することができ、前後左右に傾斜する斜面での除草機による雑草の除草作業時に直立姿勢を安定的に保持することができる。
【考案を実施するための最良の形態】
【０００７】
本考案の斜面用靴補助具は、作業靴の固定用締め付けバンドを備え、作業靴を乗せる靴底形状をした平板状の本体ボディと、該本体ボディの前後左右側面に下方に延設して一体に形成された先鋭状の爪状フックと、前記本体ボディの中央下面に固定され、ジョイント係合穴を有するジョイント接続部材と、前記前後左右の爪状フック間に前記ジョイント係合穴にU字型ジョイントを介して前後左右可動可能に取り付けられた平板状の斜面押圧板とからなる。
【０００８】
本考案の実施例１を図面に基づいて、以下に説明する。
図１の斜視図に示すように、本考案の斜面用靴補助具は、作業靴の固定用締め付けバンド１を備え、作業靴を乗せる靴底形状をした平板状の本体ボディ２と、該本体ボディ２の前後左右側面に下方に延設して一体に形成された台形状の爪状フック３と、前記本体ボディ２の中央下面に固定され、先端にジョイント係合穴を有する角錐状のジョイント接続部材４と、前記前後左右の爪状フック３間に前記ジョイント係合穴にU字型ジョイント５を介して前後左右可動可能に取り付けられた平板状の斜面押圧板６とからなる。
【０００９】
図２の側面図に示すように、前記本体ボディ２は、金属製等の平板状の剛性部材から一体形成され、前後左右側面には下方に延設して一体に形成された台形状の爪状フック３を備え、上面は作業靴を乗せる靴底形状をしたものである。
なお、前記爪状フック３の先端を平面としているが、地面への突き刺さりを良くするために鋸歯状に形成することもできる。
さらに、前記本体ボディ２の上面には、前後に靴の先端側と靴の足首部分を固定する締め付けバンド１を具備しており、前記本体ボディ２の中央下面にはジョイント係合穴を有する角錐状のジョイント接続部材４を溶接固定したものである。
【００１０】
図２の側面図、図３の正面図に示すように、前記斜面押圧板６は、前記前後左右の爪状フック３間に金属製等の平板状の剛性部材から形成され、前記U字型ジョイント５の湾曲部が上方に来るように直交状に前記ジョイント係合穴に挿通した後、前記本体ボディ２の下面に前後左右可動可能に固定される。
【００１１】
次に、本考案の実施例１の斜面用靴補助具の使用方法について説明する。
除草作業現場である鉄道又は道路等の法面に到着したら、あらかじめ本体ボディ２には、作業靴の固定用締め付けバンド１を備えられており、作業靴の先端側と靴の足首部分を前記締め付けバンド１で本体ボディ２と作業靴とを固定する。
なお、前記締め付けバンド１の締め付け金具は、ピンと穴により固定しているが、これに限らず、面ファスナー等を使用することもできる。
【００１２】
斜面用靴補助具の装着が終わったら、図４に示すように、法面を横断歩行する場合、山側の爪状フック３（この場合は、右側又は左側の爪状フック３）が斜面に突き刺さり、次に斜面押圧板６が斜面の傾斜に沿って傾き、斜面と傾斜押圧板との傾斜角が同一になると前記斜面押圧板６全体、すなわち中央のジョイント接続部材４で斜面を押圧することになる。
したがって、作業者の荷重は、山側の爪状フック３と斜面押圧板６により支えられ、本体ボディ２が水平を保ったまま斜面に沿って斜面を歩行することができる。
なお、法面を上下に走行する場合においても同様に、作業者の荷重は、山側の爪状フック３（この場合は、爪先側又は踵側の爪状フック３）と斜面押圧板６により支えられ、本体ボディ２が水平を保ったまま斜面に沿って斜面を歩行することができる。
【００１３】
つぎに、本考案の実施例２を図面に基づいて、以下に説明する。
図５の組立分解図に示すように、前記本体ボディ２は、金属製等の平板状の剛性部材から一体形成され、前後左右側面には下方に延設して一体に形成された三角形状の爪状フック３を備え、上面は作業靴を乗せる靴底形状をしたものである。
なお、本体ボディ２の上面に備えるバンド固定金具及び締め付けバンド１については省略している。
さらに、前記本体ボディ２の中央下面にはジョイント係合穴を有する断面T字形のジョイント接続部材４を溶接固定したものである。
前記ジョイント接続部材４は、金属製等のT字形断面を有する剛性部材から形成され、平坦部が前記本体ボディ２に溶接され、垂直部に前記ジョイント係合穴を備えるものである。
そして、前記ジョイント係合穴に前記U字型ジョイント５の湾曲部が上方に来るように直交状に前記ジョイント係合穴に挿通した後、ワッシャー７を介して六角ナット８でU字型ジョイント５と斜面押圧板６とを連結し、前記斜面押圧板６は前記本体ボディ２の下面に前後左右可動可能に固定される。
【００１４】
組立完成された斜面用靴補助具の状態を図６に示す。
この斜面用靴補助具についても、前述したように、作業者の荷重は、法面を横断歩行する場合、山側の爪状フック３と（この場合は、右側又は左側の爪状フック３）斜面押圧板６により支えられ、本体ボディ２が水平を保ったまま斜面に沿って斜面を歩行することができる。
また、法面を上下に走行する場合においても同様に、作業者の荷重は、山側の爪状フック３（この場合は、爪先側又は踵側の爪状フック３）と斜面押圧板６により支えられ、本体ボディ２が水平を保ったまま斜面に沿って斜面を歩行することができる。
【図面の簡単な説明】
【００１５】
【図１】本考案の斜面用靴補助具の実施例１の斜視図である。
【図２】本考案の斜面用靴補助具の実施例１の側面図である。
【図３】本考案の斜面用靴補助具の実施例１の正面図である。
【図４】本考案の斜面用靴補助具の使用状態を示す説明図である。
【図５】本考案の斜面用靴補助具の実施例２の組立分解図である。
【図６】本考案の斜面用靴補助具の実施例２の組立完成図である。
【図７】従来の万能斜面歩行器具の使用状態を示す説明図である。
【符号の説明】
【００１６】
１：締め付けバンド
２：本体ボディ
３：爪状フック
４：ジョイント接続部材
５：U字型ジョイント
６：斜面押圧板
７：ワッシャー
８：六角ナット
【図１】
0003104133.tif 000003
【図２】
0003104133.tif 000004
【図３】
0003104133.tif 000005
【図４】
0003104133.tif 000006
【図５】
0003104133.tif 000007
【図６】
0003104133.tif 000008
【図７】
0003104133.tif 000009